(57)【要約】【課題】  携帯時の安全性が向上した太陽光発電装置を提供する。【解決手段】  太陽光発電装置１００は、太陽光を受光する第１の太陽電池パネル１’が設けられた第１の太陽電池パネル枠体６’と、太陽電池パネル枠体６’の太陽電池パネル１の裏側に回動可能に取り付けられ、使用時の太陽電池パネル１’と地面とがなす角度を設定可能な支持部３’とを備えている。また、支持部３’は、非使用時には取手部２’に固定される。これによれば、非使用時においては、取手部２’は、支持部３’によって補強される。そのため、太陽光発電装置の持ち運びのときに取手部２’にかかる力によって取手部２’が損傷することが防止され、それにより、太陽光発電装置の使用者が負傷することが防止される。【選択図】        図１
2006278460.tif 000002
【特許請求の範囲】
【請求項１】
太陽光を受光する太陽電池パネルが設けられた太陽電池パネル枠体と、
前記太陽電池パネル枠体に設けられた取手部と、
前記太陽電池パネル枠体の前記太陽電池パネルの裏側に回動可能に取り付けられ、使用時の前記太陽電池パネルと地面とがなす角度を設定可能な支持部とを備え、
前記支持部は、非使用時には前記取手部に固定される、太陽光発電装置。
【請求項２】
前記支持部および前記取手部が互いに嵌合する凹凸形状によって構成されている、請求項１に記載の太陽光発電装置。
【請求項３】
太陽光を受光する第１の太陽電池パネルが設けられた第１の太陽電池パネル枠体と、
太陽光を受光する第２の太陽電池パネルが設けられた第２の太陽電池パネル枠体と、
前記第１の太陽電池モジュールと前記第２の太陽電池モジュールとを接続する部分であって、前記第１の太陽電池パネルと前記第２の太陽電池パネルとが向かい合うように回動するヒンジ部とを備え、
前記ヒンジ部の回動によって前記第１の太陽電池パネルと前記第２の太陽電池パネルとが向かい合ったときに、前記第１の太陽電池パネル枠体と前記第２の太陽電池パネル枠体との間に隙間が形成されるように、前記第１の太陽電池パネル枠体および前記第２の太陽電池パネル枠体のうち少なくともいずれか一方の表面であって、前記第１の太陽電池パネルの表面および前記第２の太陽電池パネルの表面以外の部分に、突起部が設けらた、太陽光発電装置。
【請求項４】
太陽光を受光する第１の太陽電池パネルが設けられた第１の太陽電池パネル枠体と、
太陽光を受光する第２の太陽電池パネルが設けられた第２の太陽電池パネル枠体と、
前記第１の太陽電池モジュールと前記第２の太陽電池モジュールとを接続する部分であって、前記第１の太陽電池パネルと前記第２の太陽電池パネルとが向かい合うように回動するヒンジ部とを備え、
前記ヒンジ部は、前記第１の太陽電池パネル枠体の一の側面と前記第２の太陽電池パネル枠体の一の側面との間に設けられている、太陽光発電装置。
【請求項５】
ヒンジ部は、第１の太陽電池パネル枠体の一の側面の全てと第２の太陽電池パネル枠体の一の側面の全てとを覆っている、請求項４に記載の太陽光発電装置。
【発明の詳細な説明】
【技術分野】
【０００１】
本発明は、携帯用の太陽光発電装置に関するものである。
【背景技術】
【０００２】
近年、地球環境対策の観点から各種エネルギー利用のあり方の見直しが図られている。特に、太陽エネルギーを利用する太陽電池は、クリーンなエネルギー供給源の代表として期待されている。一般的には、太陽電池を用いた発電システムは、住宅等の屋根またはビルなどの壁面に設置され、商用電源だけでは必要な消費電力を賄えない場合に、その不足する電力を供給する役割を果たしている。
【０００３】
一方、キャンプ場や海水浴場などの屋外において独立電源として使用可能な、ユーザーが携帯する太陽光発電装置は、安全性および軽量化が求められている。
【特許文献１】特開２００３−１１５６０２号公報
【特許文献２】特開平１０−３０３４４６号公報
【特許文献３】特開２００１−９５１７８号公報
【特許文献４】特開２００４−８８４０３号公報
【発明の開示】
【発明が解決しようとする課題】
【０００４】
キャンプ場や海水浴場などの屋外で独立電源として使用される太陽光発電装置は、太陽電池モジュール、蓄電池、コントローラ、およびインバータが、それぞれ、別個の製品となっている。そのため、太陽電池モジュール部に電源供給部が装着され、携帯が可能な一体化製品であり、かつ、軽量で持ち運びし易い太陽光発電装置が求められているが、特に、携帯時の安全性が求められている。
【０００５】
本発明は、上述の問題に鑑みてなされたものであり、その目的は、携帯時の安全性が向上した太陽光発電装置を提供することである。
【課題を解決するための手段】
【０００６】
本発明の太陽光発電装置は、太陽光を受光する太陽電池パネルが設けられた太陽電池パネル枠体と、太陽電池パネル枠体に設けられた取手部と、太陽電池パネル枠体の太陽電池パネルの裏側に回動可能に取り付けられ、使用時の太陽電池パネルと地面とがなす角度を設定可能な支持部とを備えている。また、支持部は、非使用時には取手部に固定される。
【０００７】
上記の構成によれば、非使用時においては、取手部は、支持部によって補強される。そのため、太陽光発電装置の持ち運びのときに取手部にかかる力により取手部が破損することが防止される。それにより、太陽光発電装置の使用者が負傷することが防止される。
【０００８】
また、支持部および取手部が互いに嵌合する凹凸形状によって構成されていることが望ましい。これによれば、取手部と支持部とを簡単に固定することができる。
【０００９】
本発明の他の局面の太陽光発電装置は、太陽光を受光する第１の太陽電池パネルが設けられた第１の太陽電池パネル枠体と、太陽光を受光する第２の太陽電池パネルが設けられた第２の太陽電池パネル枠体と、第１の太陽電池モジュールと第２の太陽電池モジュールとを接続する部分であって、第１の太陽電池パネルと第２の太陽電池パネルとが向かい合うように回動するヒンジ部とを備えている。また、ヒンジ部の回動によって第１の太陽電池パネルと第２の太陽電池パネルとが向かい合ったときに、第１の太陽電池パネル枠体と第２の太陽電池パネル枠体との間に隙間が形成されるように、第１の太陽電池パネル枠体および第２の太陽電池パネル枠体のうち少なくともいずれか一方の表面であって、第１の太陽電池パネルの表面および第２の太陽電池パネルの表面以外の部分に、突起部が設けらている。
【００１０】
上記の構成によれば、太陽光発電装置を折り畳んで持ち運ぶときに、第１の太陽電池モジュールと第２の太陽電池モジュールとの間に指などが挟み込まれてしまう不都合が防止される。
【００１１】
本発明のさらに他の局面の太陽光発電装置は、太陽光を受光する第１の太陽電池パネルが設けられた第１の太陽電池パネル枠体と、太陽光を受光する第２の太陽電池パネルが設けられた第２の太陽電池パネル枠体と、第１の太陽電池モジュールと第２の太陽電池モジュールとを接続する部分であって、第１の太陽電池パネルと第２の太陽電池パネルとが向かい合うように回動するヒンジ部とを備えている。また、ヒンジ部は、第１の太陽電池パネル枠体の一の側面と第２の太陽電池パネル枠体の一の側面との間に設けられている。
【００１２】
上記の構成によれば、第１の太陽電池パネル枠体の一の側面と第２の太陽電池パネル枠体の一の側面との間で、指などが挟み込まれてしまう不都合が防止される。
【００１３】
また、さらに他の局面の太陽光発電装置は、ヒンジ部が第１の太陽電池パネル枠体の一の側面の全てと第２の太陽電池パネル枠体の一の側面の全てとを覆っていることが望ましい。これによれば、より確実に指の挟み込みを防止することができる。
【発明を実施するための最良の形態】
【００１４】
図１は、実施の形態の太陽光発電装置の外観図である。図２は、実施の形態の太陽光発電装置の裏面図である。図３は、実施の形態の太陽光発電装置の裏面を示す斜視図である。図４は、実施の形態の太陽光発電装置の取手部２と支持部３とが互いに嵌合するようすを示す図です。図５は、実施の形態の太陽光発電装置の折り畳み時に受光面同士の間で突起部５が空間を形成することを示す図ある。図６は、実施の形態の太陽光発電装置の折り畳み用のヒンジ部を示す側面図である。図７は、実施の形態の太陽光発電装置の使用時の正面図である。図８は、実施の形態の太陽光発電装置が開かれたときの裏側を示す立面図であって、バッテリパックの取付位置を示す図である。図９は、実施の形態の太陽光発電装置が開かれたときの上面図であって、バッテリパックの取付位置を示す図である。
【００１５】
本実施の形態の太陽光発電装置１００は、図１〜図３に示すように、太陽光を受光する第１の太陽電池パネル１が設けられた第１の太陽電池パネル枠体６と、太陽光を受光する第２の太陽電池パネル１’が設けられた第２の太陽電池パネル枠体６’とを備えている。第１の太陽電池パネル枠体６の上部には長孔２ａが設けられており、第２の太陽電池パネル枠体６’の上部には長孔２ａ’が設けられている。
【００１６】
また、第１の太陽電池パネル枠体６の一方の側面６ｂと第２の太陽電池パネル枠体６’の一方の側面６ｂ’との間には、ヒンジ部４が設けられている。ヒンジ部４は、第１の太陽電池モジュール１と第２の太陽電池モジュール１’とを接続している。
【００１７】
また、ヒンジ部４は、ヒンジ構成部分４ａとヒンジ構成部分４ｂとからなっている。ヒンジ構成部分４ａは太陽電池パネル枠体６に固定されており、ヒンジ構成部分４ｂは太陽電池パネル枠体６’に固定されている。また、ヒンジ構成部分４ａとヒンジ構成部分４ｂとは、共通の中心軸まわりに回動可能である。そのため、互いの相対的な姿勢の関係が変化する。ただし、ヒンジ構成部分４ａおよびヒンジ構成部分４ｂは、いずれも、円柱状であり、それらの表面は連続している。
【００１８】
また、ヒンジ部４は、第１の太陽電池パネル枠体６と第２の太陽電池パネル１’とが同一平面上に存在するように、回動することが可能である。したがって、本実施の形態の太陽光発電装置１００を用いて発電するときには、図１の矢印で示す方向にヒンジ部４が回動し、ヒンジ構成部４ａとヒンジ構成部４ｂとが相対的な姿勢の関係を変化させることによって、第１の太陽電池パネル１と第２の太陽電池パネル１’とがほぼ一直線上に並ぶ（図９参照）。そのため、ユーザは、第１の太陽電池パネル１および第２の太陽電池パネル１’の双方を太陽光の進行方向にほぼ垂直な方向に向けることも可能である。
【００１９】
また、ヒンジ部４は、図４および図５に示すように、第１の太陽電池パネル１と第２の太陽電池パネル１’とが向かい合うように、図３の矢印で示す方向に回動することも可能である。第１の太陽電池パネル１と第２の太陽電池パネル１’とが向かい合っているときには、前述の長孔２ａと長孔２ａ’とは、図２に示すように、１つの貫通経路を形成するように、重なり合う。そのため、本実施の形態の太陽光発電装置１００を持ち運ぶときには、第１の太陽電池パネル１と第２の太陽電池パネル１’とが向かい合う状態において、ユーザは、前述の長孔２ａおよび２ａ’によって形成された１つの貫通経路に指を通して、前述の取手部２および２’を握ることができる。したがって、ユーザは、容易に太陽光発電装置１００を持ち運ぶことができる。
【００２０】
また、本実施の形態の太陽光発電装置１００は、図８に示すように、太陽電池パネル枠体６の太陽電池パネル１の裏面に２つの突起部８を備えているとともに、太陽電池パネル枠体６’の太陽電池パネル１’の裏面に２つの突起部８’を備えている。２つの突起部８には、支持部３の一方端および他方端が、それぞれ挿入されている。支持部３は、突起部８対して、回動可能であるとともに、段階的にその位置の固定が可能に設けられている。したがって、太陽光発電装置１００が開かれた状態で地面に載置されたときに、支持部３は、太陽電池パネル１の表面が向く方向と地面とがなす角度を、変更可能であり、かつ、固定可能である。
【００２１】
また、突起部８’には、支持部３’の一方端および他方端が、それぞれ挿入されている。支持部３’は、突起部８’に対して、回動可能であるとともに、段階的にその位置の固定が可能に設けられている。したがって、太陽光発電装置１００が開かれた状態で地面に載置されたときに、支持部３’は、太陽電池パネル１’の方面が向く方向と地面とがなす角度を、変更可能であり、かつ、固定可能である。そのため、ユーザは、季節および時刻に応じて、太陽電池パネル１および１’の表面が向く方向を太陽光線にほぼ平行に向けた状態で、効率的に発電を行なうことができる。
【００２２】
また、太陽光発電装置１００が使用されていないときには、図２〜図６に示すように、支持部３は取手部２に固定され、支持部３’は取手部２’に固定される。なお、図４に示すように、支持部３および３’には、それぞれ、突起部３ａおよび３ａ’が設けられており、また、太陽電池パネル枠体６および６’には、それぞれ、突起部６ａおよび６ａ’が設けられている。突起部３ａと突起部６ａとは互いに係合する構造となっており、また、突起部３ａ’と突起部６ａ’とは互いに係合する構造となっている。
【００２３】
このような太陽光発電装置１００は、非使用時においては、取手部２が支持部３によって補強され、取手部２’が支持部３’によって補強される。そのため、太陽光発電装置１００の持ち運びのときに、ユーザが細い取手部２および２’を強く握ってしまった場合においても、取手部２および２’が損傷することが防止されている。したがって、太陽光発電装置のユーザが負傷することが防止される。
【００２４】
また、図４に示すように、支持部３および取手部２は、互いに嵌合する凹凸形状部７となているとともに、支持部３’および取手部２’は、互いに嵌合する凹凸形状部７’となっている。つまり、取手部２および２’のそれぞれには凹部が形成されており、支持部３および３’のそれぞれは、その凹部に嵌り込む凸部を有している。また、凹部に嵌り込んだ支持部３および３’の部分は、太陽電池パネル枠体６および６’のそれぞれの主表面より内側に存在している。したがって、ユーザが取手部２および２’を握るときに、支持部３および３’が支障となることはない。また、ユーザは、取手部２と支持部３を簡単に固定することができるとともに、取手部２’と支持部３’とを簡単に固定することができる。
【００２５】
また、図５および図６に示すように、第１の太陽電池パネル枠体６の第２の太陽電池パネル枠体６’のそれぞれの表面であって、第１の太陽電池パネル１の表面および第２の太陽電池パネル１’の表面以外の部分に、突起部５および５’がそれぞれ設けられている。突起部５と突起部５’とは、太陽光発電装置１００が完全に閉じられたときに、互いにその先端面が当接する。そのため、ヒンジ部４の回動によって第１の太陽電池パネル１と第２の太陽電池パネル１’とが向かい合った状態においては、第１の太陽電池パネル枠体６と第２の太陽電池パネル枠体６’との間に隙間が形成される。この隙間は、人の指の太さよりもわずかに大きなものである。その結果、太陽光発電装置１００を折り畳んで持ち運ぶときに、第１の太陽電池パネル枠体６と第２の太陽電池枠体６’との間に指などが挟み込まれてしまう不都合が防止される。
【００２６】
また、太陽光発電装置１００が閉じられたときに、太陽電池パネル１と太陽電池パネル１’とが接触する寸前まで近接する場合には、石などの物体が太陽電池パネル１と太陽電池パネル１’との間に挟まってしまうことがある。たとえば、石が挟まれた状態で、太陽光発電装置１００が閉じられれば、その石が、たとえ非常に小さいものであっても、太陽電池パネル１および１’が損傷してしまうおそれがある。しかしながら、本実施の形態によれば、、太陽電池パネル１と太陽電池パネル１’との間に隙間があるため、そのおそれが低減されている。
【００２７】
なお、図１には、本実施の形態においては、太陽電池パネル枠体６の四隅のそれぞれの近傍に円柱状の突起部５が設けられ、太陽電池パネル枠体６’の四隅のそれぞれの近傍に円柱状の突起部５’が設けられている太陽光発電装置が示されているが、太陽光発電装置は、突起部５および突起部５’のうちいずれか一方のみが設けられているものであってもよい。また、突起部５と突起部５’とが、それぞれ、その内部に磁石を有していれば、太陽光発電装置１００が持ち運びの際に自然に開いてしまう不都合を防止することができる。この磁石は永久磁石であってもよいが、スイッチのＯＮ／ＯＦＦにより磁石となるか否かを切り換えることが可能な電磁石であってもよい。
【００２８】
また、ヒンジ部４は、図７に示すように、第１の太陽電池パネル枠体６の一の側面６ｂと第２の太陽電池パネル枠体６’の一の側面６ｂ’との間に設けられていている。太陽光発電装置１００が完全に開いたときには、図７に示すように、ヒンジ部４が存在しない位置においては、第１の太陽電池パネル枠体６の一の側面６ｂと第２の太陽電池パネル枠体６’の一の側面６ｂ’との間に隙間が形成される。この隙間は、人の指の幅よりもわずかに大きなものである。そのため、第１の太陽電池パネル枠体６の一の側面６ｂと第２の太陽電池パネル枠体６’の一の側面６ｂ’とによって指などが挟み込まれてしまう不都合が防止されている。なお、ヒンジ部４の外形は円柱状であり、その表面に凹凸はないため、ヒンジ部４の回動によって、ユーザの指などが傷つくおそれはない。
【００２９】
また、図８には、太陽電池パネル１および１’で生成された電力が蓄えられるバッテリパック９が示されている。バッテリパック９は、太陽電池パネル枠体６の裏面に着脱自在に設けられている。また、バッテリパック９の表面には、ＡＣ負荷へＡＣ電力を供給するためのＡＣコネクタが設けられているとともに、ＤＣ負荷へＤＣ電力を供給するためのＤＣコネクタが設けられている。
【００３０】
なお、より確実に指の挟み込みを防止するためには、ヒンジ部４は、図９に示すように、第１の太陽電池パネル枠体６の一の側面の全てと第２の太陽電池パネル枠体６’の一の側面の全てとを覆っているものであることが望ましい。
【００３１】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３２】
【図１】実施の形態の太陽光発電装置が開かれたときの太陽電池パネルの受光面を示す斜視図である。
【図２】実施の形態の太陽光発電装置の太陽電池パネルの受光面とは反対側の太陽電池パネル枠体の裏面図である。
【図３】実施の形態の太陽光発電装置のヒンジ部を示す斜視図である。
【図４】実施の形態の太陽光発電装置の側面を示す図であって、取手部２と支持部３とが互いに嵌合する様子を示す図である。
【図５】実施の形態の太陽光発電装置が閉じられたときの太陽光発電装置の側面を示す図であって、突起部によって互いに向かい合う太陽電池パネル面同士の間に空間が形成されている状態を示す図である。
【図６】実施の形態の太陽光発電装置が閉じられたときの太陽光発電装置の側面を示す図であって、ヒンジ部が太陽電池パネル枠体の側面を覆っている状態を示す図である。
【図７】実施の形態の太陽光発電装置が開かれたときの太陽電池パネルの状態を示す図である。
【図８】実施の形態の太陽光発電装置が開かれたときの裏面図である。
【図９】実施の形態の太陽光発電装置が開かれたときの上面図である。
【符号の説明】
【００３３】
１，１’  太陽電池パネル、２，２’  取手部、２ａ，２ａ’  長孔、３，３’  支持部、４  ヒンジ部、４ａ，４ｂ  ヒンジ構成部分、５，５’  突起部、６，６’  太陽電池パネル枠体、６ｂ，６ｂ’  側面、７，７’  凹凸形状部、８，８’  突起部、９  バッテリパック、１００  太陽光発電装置。
【図１】
2006278460.tif 000003
【図２】
2006278460.tif 000004
【図３】
2006278460.tif 000005
【図４】
2006278460.tif 000006
【図５】
2006278460.tif 000007
【図６】
2006278460.tif 000008
【図７】
2006278460.tif 000009
【図８】
2006278460.tif 000010
【図９】
2006278460.tif 000011